(57)【要約】      （修正有）【課題】回転式モップと振動式モップの利点を組合せ、モップの利便性及び洗浄力を向上する回転式振動モップを提供する。【解決手段】第一ロッド１１、連結部１３及び回転式洗浄アセンブリ１５を有する回転式振動モップである。第一ロッドは、無線信号送信機を有する。回転式洗浄アセンブリは、第二ロッド及び取外し式洗浄部を有する。連結部は、回転式洗浄アセンブリを第一ロッドに対して回転ができるように第一ロッドと第二ロッドを連結する。取外し式洗浄部は、取外しできる方法で第二ロッドと連結し、かつ、洗浄部本体、無線信号受信機及び振動機を有する。無線信号受信機と振動機は洗浄部本体に設けられ、かつ、相互に電気的に連結される。無線信号送信機は振動機をオン／オフするため無線受信機に信号を送信する。【選択図】図１
0003212974.tif 000002
【実用新案登録請求の範囲】
【請求項１】
第一ロッド、回転式洗浄アセンブリ及び連結部を有する回転式振動モップであって、
第一ロッドは、第一ロッドに設置する無線信号送信機を有し；
回転式洗浄アセンブリは、第二ロッド及び取外しできる方式で第二ロッドと連結する取外し式洗浄部を有し；
取外し式洗浄部は、洗浄部本体、洗浄部本体に設置する無線信号受信機及び洗浄部本体に設置し電気的に無線受信機と連結する少なくとも一つの振動機を有し；
連結部は、第一ロッドと第二ロッドを連結し、回転式洗浄アセンブリが第一ロッドに対して回転でき；
前記無線信号送信機は信号を無線信号受信機に送信し、少なくとも一つの振動機をオン／オフにする回転式振動モップ。
【請求項２】
前記無線信号送信機と無線信号受信機間の信号転送モードは赤外線である請求項１に記載の回転式振動モップ。
【請求項３】
前記無線信号送信機と無線信号受信機間の信号転送モードはブルートゥース（登録商標）である請求項１に記載の回転式振動モップ。
【請求項４】
前記取外し式洗浄部は磁気吸収モードで第二ロッドと連結する請求項１に記載の回転式振動モップ。
【請求項５】
前記取外し式洗浄部はネジ接合式で第二ロッドと連結する請求項１に記載の回転式振動モップ。
【請求項６】
前記取外し式洗浄部は充電式バッテリを有する請求項１に記載の回転式振動モップ。
【考案の詳細な説明】
【技術分野】
【０００１】
本考案は回転式振動モップに関する。より具体的には、本考案は回転式脱水と同時に振動機能を有するモップに関する。
【背景技術】
【０００２】
近年、多くのモップの構造は二段式として設計され、グリップ端と洗浄端を有しており、洗浄端を介して高速回転の方法によって、使用者が容易に洗浄作業の効率を高めるために、洗浄端を通して吸収した過多な水分を脱水することができる。その一方、洗浄端に振動機が設置され、かつ、グリップ端に振動機のスイッチが設置される構造のものもあって、振動力により洗浄力が高められる。しかしながら、前記二つの構造は併存することができない。
【０００３】
具体的には、振動機装置を持つモップの中で、グリップ端にあるスイッチと洗浄端にある振動機の間は電線で連結されるので、グリップ端を洗浄端に対し、高速回転させると、内部配線が過度にねじれたり或いは引っ張られたり、断線などの問題を引き起こす原因となる。
【考案の概要】
【考案が解決しようとする課題】
【０００４】
そこで、前記二つの構造の利点を組合せ、モップの利便性及び洗浄力を向上することは業界の技術者の課題となっている。
【課題を解決するための手段】
【０００５】
本考案は第一ロッド、連結部および回転式洗浄アセンブリを有する回転式振動モップを提供する。第一ロッドに無線信号送信機が設置されている。回転式洗浄アセンブリは、第二ロッドと取外し式洗浄部を有し、取外し式洗浄部は、取外しできる方法で第二ロッドに連結される。連結部は第一ロッドと第二ロッドを連結し、第一ロッドに対し回転式洗浄アセンブリを回転させる。
【０００６】
さらに、取外し式洗浄部は、洗浄部本体、無線信号受信機及び少なくとも一つの振動機を有し、無線信号受信機及び少なくとも一つの振動機は洗浄部本体に設置され、かつ、相互に電気的に連結する。無線信号送信機は信号を無線信号受信機に送信し、少なくとも一つの振動機をスイッチすることができる。
【０００７】
図面及び後述する実施方法の説明を参照すれば、本技術分野の通常の知識を有する者は本考案の目的を理解することでき、本考案の技術手段及び実施形態も理解できる。
【図面の簡単な説明】
【０００８】
【図１】本考案に係る回転式振動モップの正面図である。
【図２】本考案に係る回転式洗浄アセンブリの部分正面図である。
【図３】本考案に係る取外し式洗浄部の立体図である。
【図４】本考案に係る第一ロッドの部分断面図である。
【図５】本考案に係る取外し式洗浄部の底面の断面図である。
【図６】本考案に係る取外し式洗浄部材の立体図である。
【考案を実施するための形態】
【０００９】
実施方法に従って本考案の内容を説明する。なお、実施例に言及した特定的環境、用途或いは特殊な方法は本考案の実施を制限するものではない。したがって、実施例に関する説明は単に本考案の目的を説明するもので、本考案を制限するものではなく、かつ、本考案における請求の範囲は実用新案登録請求の範囲が対象となる。また、下記実施例及び図形において本考案と直接関係しない部品は省略して図示せず、かつ、下記図形で各部品間の寸法関係は容易に理解するためのものであり、実際の比率を制限するものではない。
【００１０】
図１及び図２を同時に参照すると、図１は本考案に係る回転式振動モップ１の正面図であり、回転式振動モップ１は、第一ロッド１１、連結部１３及び回転式洗浄アセンブリ１５を有する。図２は回転式洗浄アセンブリ１５の部分正面図であり、回転式洗浄アセンブリ１５は、第二ロッド１５１及び取外し式洗浄部１５３を有する。連結部１３は、第一ロッド１１と第二ロッド１５１を連結し、第一ロッド１１に対し回転式洗浄アセンブリ１５は回転することができる。
【００１１】
具体的には、回転式洗浄アセンブリ１５の第二ロッド１５１は連結部１３を介して、第一ロッド１１と連結し、かつ、第一ロッド１１と第二ロッド１５１は同じ軸Ｄを有する。連結部１３は、第一ロッド１１と第二ロッド１５１の間の回転の自由度を提供する時に、第二ロッド１５１は第一ロッド１１に対し、軸Ｄ周りに回転され、それと同時に第一ロッド１１に対し、回転式洗浄アセンブリ１５の全体も回転させる。
【００１２】
図３を参照すると、本図は本考案に係る取外し式洗浄部の立体図であり、取外し式洗浄部１５３は、洗浄部本体１５３ａを有する。洗浄部本体１５３ａは水分を吸収する部材や洗浄できる部材を有する。これにより、回転式洗浄アセンブリ１５は連結部１３を通して、第一ロッド１１に対し高速回転すると同時に、洗浄部本体１５３ａは慣性力を介して、吸収した過度な水分を脱水することができる。
【００１３】
図４及び図５を同時に参照すると、図４は本考案の第一ロッド１１の部分断面図であり、第一ロッド１１は無線信号送信機１１１を有する。図５は本考案の取外し式洗浄部１５３の底面断面図であり、取外し式洗浄部１５３は無線信号受信機１５３ｂ及び少なくとも一つの振動機１５３ｃを有する。無線信号受信機１５３ｂ及び少なくとも一つの振動機１５３ｃは洗浄部本体１５３ａに設置され、相互に電気的に接続する。
【００１４】
具体的には、使用者が第一ロッド１１の無線信号送信機１１１を作動すると、無線信号送信機１１１は信号（図示せず）を取外し式洗浄部１５３の無線信号受信機１５３ｂに送信する。その後、無線信号受信機１５３ｂが信号を受信すると、少なくとも一つの振動機１５３ｃがオン／オフに作動する。振動機１５３ｃがオンになると、洗浄部本体１５３ａは少なくとも一つの振動機を介して振動を生成し、洗浄力を向上することができる。
【００１５】
なお、特別な説明として、第一ロッド１１及び取外し式洗浄部１５３はそれぞれ独自の電源モジュールを有し、それぞれ無線信号送信機１１１、無線信号受信機１５３ｂ及び振動機１５３ｃに信号の転送、受信及び振動操作用の電力を提供する。電源モジュールは一般的なバッテリで充電でき、内蔵の充電式バッテリでも充電できる。
【００１６】
例として、図６を参照すると、本図は本考案に係る取外し式洗浄部１５３のもう一つの立体図である。具体的には、取外し式洗浄部１５３は充電式バッテリ（図示せず）を有し、無線信号受信機１５３ｂ及び振動機１５３ｃに電力を提供する。取外し式洗浄部１５３を第二ロッド１５１から分離した時に、使用者が充電電源９を利用し、分離表面を介して充電式バッテリで充電できる。
【００１７】
さらに、異なる実施形態において、本考案の取外し式洗浄部１５３は磁気式或いはネジ接合式等、取外しできる方法で第二ロッド１５１と連結し、無線信号送信機１１１と無線信号受信機１５３ｂ間の信号転送モードはブルートゥース（登録商標）或いは赤外線等で転送する。さらに、振動機１５３ｃの数も必要に応じて増加することができる。しかし、以上のことが本考案の実施形態を制限することにはならない。
【００１８】
上述した所によれば、本考案の回転式振動モップにおいて、グリップ端にあるスイッチは無線信号伝送方法によって、洗浄部にある振動機のオン／オフを制御し、グリップ端にあるスイッチと洗浄部にある振動機の間の電線の使用を避け、振動及び回転脱水の両方の機能を有し、洗浄力及び効率が同時に向上する。
【００１９】
上述した実施例は単なる例示として本考案の実施態様及び技術的特徴を説明するもので、本考案の保護範囲を制限するものではない。本技術を精通する者による簡単な改変或いは類似の配置は本考案の主張範囲内に属するもので、本考案の権利保護の範囲は実用新案登録請求の範囲にある。
【符号の説明】
【００２０】
１        回転式振動モップ
１１      第一ロッド
１１１    無線信号送信機
１３      連結部
１５      回転式洗浄アセンブリ
１５１    第二ロッド
１５３    取外し式洗浄部
１５３ａ  洗浄部本体
１５３ｂ  無線信号受信機
１５３ｃ  振動機
Ｄ        軸
【図１】
0003212974.tif 000003
【図２】
0003212974.tif 000004
【図３】
0003212974.tif 000005
【図４】
0003212974.tif 000006
【図５】
0003212974.tif 000007
【図６】
0003212974.tif 000008